【手続補正書】
【提出日】平成20年4月10日(2008.4.10)
【手続補正１】
【補正対象書類名】明細書
【補正対象項目名】発明の名称
【補正方法】変更
【補正の内容】
【発明の名称】鉄道路線図が印刷された印刷物、読取装置、情報提供方法、情報提供システム、情報資源、及び乗車券発行方法
【手続補正２】
【補正対象書類名】明細書
【補正対象項目名】特許請求の範囲
【補正方法】変更
【補正の内容】
【特許請求の範囲】
【請求項１】  所定の記号及び絵柄の少なくとも何れかによって示される駅表示部と、
当該駅表示部間に配置され所定の記号及び絵柄の少なくとも何れかによって示される鉄道路線表示部と、
を含む鉄道路線図が印刷された印刷物において、
前記駅表示部又は前記鉄道路線表示部には、鉄道に関する音を符号化処理して得られる光学的に読み取り可能な符号化画像が印刷されている、
ことを特徴とする鉄道路線図が印刷された印刷物。
【請求項２】  前記符号化画像は、前記駅表示部又は前記駅表示部間に配置された前記鉄道路線表示部毎に異なる音を含むことを特徴とする請求項１に記載の鉄道路線図が印刷された印刷物。
【請求項３】  前記鉄道路線表示部の前記符号化画像は、読取装置が前記鉄道路線方向に沿った手動による読み取りを行うことによって、同読取装置が前記鉄道に関する音を再生出力するように構成されたことを特徴とする請求項１又は２に記載の鉄道路線図が印刷された印刷物。
【請求項４】  前記符号化画像は、前記読取装置による前記鉄道路線方向の２つの相反する読み取り方向に応じて、同読取装置がそれぞれ異なる音を再生出力するように構成されたことを特徴とする請求項３に記載の鉄道路線図が印刷された印刷物。
【請求項５】  前記符号化画像は、一つの前記鉄道路線表示部を挟む両脇の駅名をそれぞれ読み上げる２つの音を少なくとも含むことを特徴とする請求項４に記載の鉄道路線図が印刷された印刷物。
【請求項６】  前記鉄道路線表示部の前記符号化画像は、前記鉄道路線毎に印刷色が異なることを特徴とする請求項１乃至５の何れかに記載の鉄道路線図が印刷された印刷物。
【請求項７】  前記符号化画像は、複数のブロックからなり、
前記ブロックのそれぞれが、
前記音に係るデータの内容に応じて配列された複数のドットでなるデータドットパターンと、
前記ブロックを認識するためのマーカと、
前記ブロックのアドレスを示すためのブロックアドレスパターンと、
を含むことを特徴とする請求項１乃至６の何れかに記載の鉄道路線図が印刷された印刷物。
【請求項８】  所定の記号及び絵柄の少なくとも何れかによって示される駅表示部と、当該駅表示部間に配置され所定の記号及び絵柄の少なくとも何れかによって示される鉄道路線表示部と、を含む鉄道路線図が印刷された印刷物であって、前記鉄道路線表示部には、鉄道に関する音を符号化処理して得られる光学的に読み取り可能な符号化画像が印刷されている印刷物の前記符号化画像を光学的に読み取る読取手段と、
前記読取手段で読み取られた前記符号化画像から前記鉄道に関する音を再生する再生手段と、
前記再生手段で再生される前記鉄道に関する音を、前記鉄道路線に沿った手動による前記符号化画像の読み取り方向に応じて変更する手段と、
を具備することを特徴とする読取装置。
【請求項９】  所定の記号及び絵柄の少なくとも何れかによって示される駅表示部と、
当該駅表示部間に配置され所定の記号及び絵柄の少なくとも何れかによって示される鉄道路線表示部と、
を含む鉄道路線図が印刷された印刷物において、
前記駅表示部又は前記鉄道路線表示部には、当該駅又は当該鉄道路線に対応した情報を符号化処理して得られる光学的に読み取り可能な符号化画像が印刷されている、
ことを特徴とする鉄道路線図が印刷された印刷物。
【請求項１０】  前記駅に対応した情報は、当該駅を特定するための駅ＩＤ情報を含むことを特徴とする請求項９に記載の鉄道路線図が印刷された印刷物。
【請求項１１】  前記鉄道路線に対応した情報は、当該鉄道路線を特定するための鉄道路線ＩＤ情報を含むことを特徴とする請求項９に記載の鉄道路線図が印刷された印刷物。
【請求項１２】  前記鉄道路線に対応した情報は、当該鉄道路線上を運行する列車の時刻表に関する情報、当該鉄道路線上を運行する列車の所要時間に関する情報、及び当該鉄道路線上を運行する列車の運賃料金に関する情報のうちの少なくとも一つの情報を含むことを特徴とする請求項９に記載の鉄道路線図が印刷された印刷物。
【請求項１３】  前記駅又は前記鉄道路線に対応した情報は、前記符号化画像を読み取る読取装置に接続された所定の装置が、当該駅又は当該鉄道路線に関する情報を記憶した情報資源を指定するためのアドレス情報を含むことを特徴とする請求項９に記載の鉄道路線図が印刷された印刷物。
【請求項１４】  前記所定の装置はアクセス装置であり、
前記アドレス情報は、前記アクセス装置が、インターネットに接続されたワールドワイドウエブ（ＷＷＷ）上の前記情報資源を指定してアクセスするためのＵＲＬ（Uniform Resource Locator）を含むことを特徴とする請求項１３に記載の鉄道路線図が印刷された印刷物。
【請求項１５】  所定の記号及び絵柄の少なくとも何れかによって示される駅表示部と，当該駅表示部間に配置され所定の記号及び絵柄の少なくとも何れかによって示される鉄道路線表示部と，を含む鉄道路線図が印刷された印刷物であって、前記駅表示部又は前記鉄道路線表示部には、当該駅を特定するための駅ＩＤ情報又は当該鉄道路線を特定するための鉄道路線ＩＤ情報を符号化処理して得られる光学的に読み取り可能な符号化画像が印刷されている印刷物から、前記符号化画像が読取装置によって光学的に読み取られる工程と、
この読み取られた符号化画像から前記駅ＩＤ情報又は前記鉄道路線ＩＤ情報が再生される工程と、
複数の駅又は鉄道路線に関する情報を記憶した情報資源から、前記再生された駅ＩＤ情報又は鉄道路線ＩＤ情報に対応する駅又は鉄道路線に関する情報を検索する工程と、
この検索された駅又は鉄道路線に関する情報を出力する工程と、
を含むことを特徴とする情報提供方法。
【請求項１６】  前記情報資源は、前記読取装置に接続されたアクセス装置がインターネットを介してアクセス可能なワールドワイドウエブ（ＷＷＷ）上の情報資源であることを特徴とする請求項１５に記載の情報提供方法。
【請求項１７】  前記符号化画像は、更に、前記アクセス装置が前記情報資源を指定してアクセスするためのＵＲＬ（Uniform Resource Locator）を含むことを特徴とする請求項１６に記載の情報提供方法。
【請求項１８】  前記鉄道路線に関する情報は、当該鉄道路線上を運行する列車の時刻表に関する情報、当該鉄道路線上を運行する列車の所要時間に関する情報、及び当該鉄道路線上を運行する列車の運賃料金に関する情報のうちの少なくとも一つの情報を含むことを特徴とする請求項１５に記載の情報提供方法。
【請求項１９】  所定の記号及び絵柄の少なくとも何れかによって示される駅表示部と，当該駅表示部間に配置され所定の記号及び絵柄の少なくとも何れかによって示される鉄道路線表示部と，を含む鉄道路線図が印刷された印刷物であって、前記駅表示部又は前記鉄道路線表示部には、当該駅を特定するための駅ＩＤ情報又は当該鉄道路線を特定するための鉄道路線ＩＤ情報を符号化処理して得られる光学的に読み取り可能な符号化画像が印刷されている印刷物から、前記符号化画像を光学的に読み取る読取手段と、
前記読取手段で読み取られた前記符号化画像から前記駅ＩＤ情報又は前記鉄道路線ＩＤ情報を再生する再生手段と、
複数の駅又は鉄道路線に関する情報を記憶した情報資源と、
前記再生手段で再生された前記駅ＩＤ情報又は前記鉄道路線ＩＤ情報に対応する駅又は鉄道路線に関する情報を、前記情報資源から検索する検索手段と、
前記検索手段で検索された駅又は鉄道路線に関する情報を出力する出力手段と、
を具備することを特徴とする情報提供システム。
【請求項２０】  前記情報資源は、前記読取手段に接続されたアクセス装置がインターネットを介してアクセス可能なワールドワイドウエブ（ＷＷＷ）上の情報資源であることを特徴とする請求項１９に記載の情報提供システム。
【請求項２１】  前記符号化画像は、更に、前記アクセス装置が前記情報資源を指定してアクセスするためのＵＲＬ（Uniform Resource Locator）を含むことを特徴とする請求項２０に記載の情報提供システム。
【請求項２２】  前記鉄道路線に関する情報は、当該鉄道路線上を運行する列車の時刻表に関する情報、当該鉄道路線上を運行する列車の所要時間に関する情報、及び当該鉄道路線上を運行する列車の運賃料金に関する情報のうちの少なくとも一つの情報を含むことを特徴とする請求項１９に記載の情報提供システム。
【請求項２３】  所定の記号及び絵柄の少なくとも何れかによって示される駅表示部と，当該駅表示部間に配置され所定の記号及び絵柄の少なくとも何れかによって示される鉄道路線表示部と，を含む鉄道路線図が印刷された印刷物であって、前記駅表示部又は前記鉄道路線表示部には、当該駅を特定するための駅ＩＤ情報又は当該鉄道路線を特定するための鉄道路線ＩＤ情報を符号化処理して得られる光学的に読み取り可能な符号化画像が印刷されている印刷物から、前記符号化画像が読取装置によって光学的に読み取られ、この読み取られた符号化画像から前記駅ＩＤ情報又は前記鉄道路線ＩＤ情報が再生されたとき、
複数の駅又は鉄道路線に関する情報の中から、この再生された駅ＩＤ情報又は鉄道路線ＩＤ情報に対応する駅又は鉄道路線に関する情報を検索して、
この検索された駅又は鉄道路線に関する情報を出力する、
ように構成されたことを特徴とする情報資源。
【請求項２４】  前記情報資源は、前記読取装置に接続されたアクセス装置がインターネットを介してアクセス可能なワールドワイドウエブ（ＷＷＷ）上の情報資源であることを特徴とする請求項２３に記載の情報資源。
【請求項２５】  前記符号化画像は、更に、前記アクセス装置が前記情報資源を指定してアクセスするためのＵＲＬ（Uniform Resource Locator）を含むことを特徴とする請求項２４に記載の情報資源。
【請求項２６】  前記鉄道路線に関する情報は、当該鉄道路線上を運行する列車の時刻表に関する情報、当該鉄道路線上を運行する列車の所要時間に関する情報、及び当該鉄道路線上を運行する列車の運賃料金に関する情報のうちの少なくとも一つの情報を含むことを特徴とする請求項２３に記載の情報資源。
【請求項２７】  所定の記号及び絵柄の少なくとも何れかによって示される駅表示部と，当該駅表示部間に配置され所定の記号及び絵柄の少なくとも何れかによって示される鉄道路線表示部と，を含む鉄道路線図が印刷された印刷物であって、前記駅表示部又は前記鉄道路線表示部には、当該駅を特定するための駅ＩＤ情報又は当該鉄道路線を特定するための鉄道路線ＩＤ情報を符号化処理して得られる光学的に読み取り可能な符号化画像が印刷れされている印刷物から、前記符号化画像が読取装置によって光学的に読み取られる工程と、
この読み取られた符号化画像から前記駅ＩＤ情報又は前記鉄道路線ＩＤ情報が再生される工程と、
この再生された駅ＩＤ情報又は鉄道路線ＩＤ情報に基づいて、前記読取装置に接続されたアクセス装置がワールドワイドウエブ（ＷＷＷ）上の情報資源から得た情報をもとに、列車の乗車券が発行される工程と、
を含むことを特徴とする乗車券発行方法。
【手続補正３】
【補正対象書類名】明細書
【補正対象項目名】０００１
【補正方法】変更
【補正の内容】
【０００１】
【発明の属する技術分野】
本発明は、音や各種のデータを再生することが可能な光学的に読み取り可能な符号化画像としての鉄道路線図が印刷された印刷物、その符号化画像を読み取る読取装置、及びこの印刷物を利用した情報提供方法、情報提供システム、またその情報提供にあたって利用される情報資源、更にこの印刷物を利用した乗車券発行方法に関する。
【手続補正４】
【補正対象書類名】明細書
【補正対象項目名】０００９
【補正方法】変更
【補正の内容】
【０００９】
本発明は、上記問題に鑑みてなされたもので、その目的とするところは、鉄道に関する音やその他の情報を符号化処理して得られる光学的に読み取り可能な符号化画像を含む鉄道路線図が印刷された印刷物、その符号化画像を読み取る読取装置、及びこの印刷物を利用した情報提供方法、情報提供システム、またその情報提供にあたって利用される情報資源、更にこの印刷物を利用した乗車券発行方法を提供することにある。
【手続補正５】
【補正対象書類名】明細書
【補正対象項目名】００１０
【補正方法】変更
【補正の内容】
【００１０】
【課題を解決するための手段】
上記目的を達成するために、本発明によれば、所定の記号及び絵柄の少なくとも何れかによって示される駅表示部と、当該駅表示部間に配置され所定の記号及び絵柄の少なくとも何れかによって示される鉄道路線表示部と、を含む鉄道路線図が印刷された印刷物において、上記駅表示部又は上記鉄道路線表示部には、鉄道に関する音を符号化処理して得られる光学的に読み取り可能な符号化画像が印刷されていることを特徴とする鉄道路線図が印刷された印刷物が提供される。  
また、上記目的を達成するために、本発明によれば、所定の記号及び絵柄の少なくとも何れかによって示される駅表示部と、当該駅表示部間に配置され所定の記号及び絵柄の少なくとも何れかによって示される鉄道路線表示部と、を含む鉄道路線図が印刷された印刷物であって、上記鉄道路線表示部には、鉄道に関する音を符号化処理して得られる光学的に読み取り可能な符号化画像が印刷されている印刷物の上記符号化画像を光学的に読み取る読取手段と、上記読取手段で読み取られた上記符号化画像から上記鉄道に関する音を再生する再生手段と、上記再生手段で再生される上記鉄道に関する音を、上記鉄道路線に沿った手動による上記符号化画像の読み取り方向に応じて変更する手段と、を具備することを特徴とする読取装置が提供される。
【手続補正６】
【補正対象書類名】明細書
【補正対象項目名】００１１
【補正方法】変更
【補正の内容】
【００１１】
即ち、この印刷物又は読取装置によれば、駅表示部又は鉄道路線表示部に、鉄道に関する音を符号化処理して得られる光学的に読み取り可能な符号化画像を印刷したので、その符号化画像を読み取ることのみによって、当該印刷物から簡単に鉄道に関する音を取得することができるようになる。
【手続補正７】
【補正対象書類名】明細書
【補正対象項目名】００１２
【補正方法】変更
【補正の内容】
【００１２】
また、上記目的を達成するために、本発明によれば、所定の記号及び絵柄の少なくとも何れかによって示される駅表示部と、当該駅表示部間に配置され所定の記号及び絵柄の少なくとも何れかによって示される鉄道路線表示部と、を含む鉄道路線図が印刷された印刷物において、上記駅表示部又は上記鉄道路線表示部には、当該駅又は当該鉄道路線に対応した情報を符号化処理して得られる光学的に読み取り可能な符号化画像が印刷されている、ことを特徴とする鉄道路線図が印刷された印刷物が提供される。
【手続補正８】
【補正対象書類名】明細書
【補正対象項目名】００１４
【補正方法】変更
【補正の内容】
【００１４】
また、上記目的を達成するために、本発明によれば、所定の記号及び絵柄の少なくとも何れかによって示される駅表示部と，当該駅表示部間に配置され所定の記号及び絵柄の少なくとも何れかによって示される鉄道路線表示部と，を含む鉄道路線図が印刷された印刷物であって、上記駅表示部又は上記鉄道路線表示部には、当該駅を特定するための駅ＩＤ情報又は当該鉄道路線を特定するための鉄道路線ＩＤ情報を符号化処理して得られる光学的に読み取り可能な符号化画像が印刷されている印刷物から、上記符号化画像が読取装置によって光学的に読み取られる工程と、この読み取られた符号化画像から上記駅ＩＤ情報又は上記鉄道路線ＩＤ情報が再生される工程と、複数の駅又は鉄道路線に関する情報を記憶した情報資源から、上記再生された駅ＩＤ情報又は鉄道路線ＩＤ情報に対応する駅又は鉄道路線に関する情報を検索する工程と、この検索された駅又は鉄道路線に関する情報を出力する工程と、を含むことを特徴とする情報提供方法が提供される。
【手続補正９】
【補正対象書類名】明細書
【補正対象項目名】００１６
【補正方法】変更
【補正の内容】
【００１６】
また、上記目的を達成するために、本発明によれば、所定の記号及び絵柄の少なくとも何れかによって示される駅表示部と，当該駅表示部間に配置され所定の記号及び絵柄の少なくとも何れかによって示される鉄道路線表示部と，を含む鉄道路線図が印刷された印刷物であって、上記駅表示部又は上記鉄道路線表示部には、当該駅を特定するための駅ＩＤ情報又は当該鉄道路線を特定するための鉄道路線ＩＤ情報を符号化処理して得られる光学的に読み取り可能な符号化画像が印刷されている印刷物から、上記符号化画像を光学的に読み取る読取手段と、上記読取手段で読み取られた上記符号化画像から上記駅ＩＤ情報又は上記鉄道路線ＩＤ情報を再生する再生手段と、複数の駅又は鉄道路線に関する情報を記憶した情報資源と、上記再生手段で再生された上記駅ＩＤ情報又は上記鉄道路線ＩＤ情報に対応する駅又は鉄道路線に関する情報を、上記情報資源から検索する検索手段と、上記検索手段で検索された駅又は鉄道路線に関する情報を出力する出力手段と、を具備することを特徴とする情報提供システムが提供される。
【手続補正１０】
【補正対象書類名】明細書
【補正対象項目名】００１８
【補正方法】変更
【補正の内容】
【００１８】
また、上記目的を達成するために、本発明によれば、所定の記号及び絵柄の少なくとも何れかによって示される駅表示部と，当該駅表示部間に配置され所定の記号及び絵柄の少なくとも何れかによって示される鉄道路線表示部と，を含む鉄道路線図が印刷された印刷物であって、上記駅表示部又は上記鉄道路線表示部には、当該駅を特定するための駅ＩＤ情報又は当該鉄道路線を特定するための鉄道路線ＩＤ情報を符号化処理して得られる光学的に読み取り可能な符号化画像が印刷されている印刷物から、上記符号化画像が読取装置によって光学的に読み取られ、この読み取られた符号化画像から上記駅ＩＤ情報又は上記鉄道路線ＩＤ情報が再生されたとき、複数の駅又は鉄道路線に関する情報の中から、この再生された駅ＩＤ情報又は鉄道路線ＩＤ情報に対応する駅又は鉄道路線に関する情報を検索して、この検索された駅又は鉄道路線に関する情報を出力する、ように構成されたことを特徴とする情報資源が提供される。
【手続補正１１】
【補正対象書類名】明細書
【補正対象項目名】００２０
【補正方法】変更
【補正の内容】
【００２０】
更に、上記目的を達成するために、本発明によれば、所定の記号及び絵柄の少なくとも何れかによって示される駅表示部と，当該駅表示部間に配置され所定の記号及び絵柄の少なくとも何れかによって示される鉄道路線表示部と，を含む鉄道路線図が印刷された印刷物であって、上記駅表示部又は上記鉄道路線表示部には、当該駅を特定するための駅ＩＤ情報又は当該鉄道路線を特定するための鉄道路線ＩＤ情報を符号化処理して得られる光学的に読み取り可能な符号化画像が印刷れされている印刷物から、上記符号化画像が読取装置によって光学的に読み取られる工程と、この読み取られた符号化画像から上記駅ＩＤ情報又は上記鉄道路線ＩＤ情報が再生される工程と、この再生された駅ＩＤ情報又は鉄道路線ＩＤ情報に基づいて、上記読取装置に接続されたアクセス装置がワールドワイドウエブ（ＷＷＷ）上の情報資源から得た情報をもとに、列車の乗車券が発行される工程と、を含むことを特徴とする乗車券発行方法が提供される。
【手続補正１２】
【補正対象書類名】明細書
【補正対象項目名】０１５２
【補正方法】変更
【補正の内容】
【０１５２】
【発明の効果】
以上、詳述したように、本発明によれば、鉄道に関する音やその他の情報を符号化処理して得られる光学的に読み取り可能な符号化画像を含む鉄道路線図が印刷された印刷物、その符号化画像を読み取る読取装置、及びこの印刷物を利用した情報提供方法、情報提供システム、またその情報提供にあたって利用される情報資源、更にこの印刷物を利用した乗車券発行方法を提供することができる。